(57)【要約】【課題】プラズマディスプレイパネルを提供する。【解決手段】放電セルの側面を取り囲むように各電極を配置して、放電空間を効率的に活用することにより発光効率が向上し、リセットパルスが印加される電極に、リセット期間の初期ステップで下降ランプ式のパルス波形の電圧を印加することにより、放電セルの側面に配置された各電極の付近に溜まる壁電荷に対する制御能力を向上させて、安定した放電を発生させる駆動波形の電圧により駆動されるプラズマディスプレイパネルである。【選択図】図６
2006317907.tif 000002
【特許請求の範囲】
【請求項１】
互いに離れて平行に対向する前面基板及び背面基板と、
前記前面基板と前記背面基板との間の空間を、前面、背面及び側面を備える複数の放電セルに区画する隔壁と、
前記前面及び前記背面に平行に前記側面を取り囲み、前記前面及び前記背面に平行した方向に延びるＸ電極及びＹ電極と、
前記Ｘ電極と前記Ｙ電極との間に位置して、前記前面及び前記背面に平行に前記側面を取り囲み、前記前面及び前記背面に平行し、前記Ｘ電極及び前記Ｙ電極の延長方向と垂直に延びるＲ電極と、
前記背面に形成される蛍光体層と、を備え、
あらゆる放電セルを初期化するリセット期間、維持放電を発生させる放電セルを選択するアドレス期間、及び選択された放電セルに対して維持放電を行う維持放電期間に区分される波形の電圧によって駆動され、
前記リセット期間において、前記Ｒ電極には、第１下降ランプ式のパルス、上昇ランプ式のパルス及び第２下降ランプ式のパルスを有する波形の電圧が印加され、前記Ｘ電極には上昇ステップ波形の電圧が印加され、前記Ｙ電極には接地電圧が印加されることで駆動されることを特徴とするプラズマディスプレイパネル。
【請求項２】
前記第１下降ランプ式のパルスは、
前記接地電圧に維持されていて、前記接地電圧から前記接地電圧の電位より低電位のＲ電極リセット第１電圧にランプ式下降した後、前記Ｒ電極リセット第１電圧に維持されていて、前記Ｒ電極リセット第１電圧から前記接地電圧にステップ式上昇して、前記接地電圧に維持される波形のパルスであることを特徴とする請求項１に記載のプラズマディスプレイパネル。
【請求項３】
前記上昇ランプ式のパルスは、
前記接地電圧の電位より高電位のＲ電極リセット第２電圧に維持されていて、前記Ｒ電極リセット第２電圧から前記Ｒ電極リセット第２電圧の電位より高電位のＲ電極リセット第３電圧にランプ式上昇した後、前記Ｒ電極リセット第３電圧に維持される波形のパルスであることを特徴とする請求項１に記載のプラズマディスプレイパネル。
【請求項４】
前記第２下降ランプ式のパルスは、
前記接地電圧の電位より高電位のＲ電極リセット第２電圧から、前記Ｒ電極リセット第２電圧の電位より低電位のＲ電極リセット第４電圧にランプ式下降した後、前記Ｒ電極リセット第４電圧に維持される波形のパルスであることを特徴とする請求項１に記載のプラズマディスプレイパネル。
【請求項５】
前記Ｒ電極リセット第４電圧の電位は、前記接地電圧の電位または前記接地電圧の電位より低電位であることを特徴とする請求項４に記載のプラズマディスプレイパネル。
【請求項６】
前記上昇ステップ波形の電圧は、
前記接地電圧に維持されていて、前記接地電圧から前記接地電圧の電位より高電位のＸ電極リセット電圧にステップ式上昇して、前記Ｘ電極リセット電圧に維持される波形の電圧であることを特徴とする請求項１に記載のプラズマディスプレイパネル。
【請求項７】
前記アドレス期間で、
前記Ｘ電極には、前記接地電圧の電位より高電位のＸ電極アドレス電圧を印加し、前記Ｙ電極には、前記接地電圧に維持されていて、前記接地電圧の電位より高電位のＹ電極アドレス電圧が既設定された期間の間に維持された後、再び前記接地電圧に維持されるパルス波形の電圧を印加し、前記Ｒ電極には、前記接地電圧の電位より高電位のＲ電極アドレス第１電圧に維持されていて、前記Ｒ電極アドレス第１電圧の電位より低電位のＲ電極アドレス第２電圧が既設定された期間の間に維持された後、再び前記Ｒ電極アドレス第１電圧に維持されるパルス波形の電圧を印加することを特徴とする請求項１に記載のプラズマディスプレイパネル。
【請求項８】
前記維持放電期間で、
前記Ｘ電極には、前記接地電圧及び維持放電電圧を既設定された期間の間隔ほど交互に印加し、前記Ｙ電極には、前記Ｘ電極と逆に、前記維持放電電圧と前記接地電圧とを交互に印加し、前記Ｒ電極には、前記接地電圧の電位より高電位のＲ電極サステイン電圧を印加することを特徴とする請求項１に記載のプラズマディスプレイパネル。
【請求項９】
互いに離れて平行に延びるＸ電極及びＹ電極と、前記Ｘ電極及びＹ電極と交差して、その間に配置されるＲ電極と、を備え、その交差される領域で放電セルが形成されるが、前記Ｘ電極、Ｙ電極及びＲ電極は、前記放電セルを取り囲むプラズマディスプレイパネルに対して、
フレームごとに時分割階調ディスプレイのために、それぞれの階調加重値による複数のサブフィールドが存在し、前記それぞれのサブフィールドごとにリセット期間、アドレス期間及び維持放電期間に分けられて駆動するプラズマディスプレイパネルの駆動方法において、
前記アドレス期間に、前記Ｒ電極に走査パルスが印加され、前記Ｙ電極には、アドレスパルスが印加されることを特徴とするプラズマディスプレイパネルの駆動方法。
【請求項１０】
前記リセット期間に、
前記Ｒ電極には、第１下降ランプ式のパルス、上昇ランプ式のパルス及び第２下降ランプ式のパルスが順次に印加されることを特徴とする請求項９に記載のプラズマディスプレイパネルの駆動方法。
【請求項１１】
前記維持期間に、
前記Ｒ電極には、正極性のＲ電極サステイン電圧が印加され続け、前記Ｙ電極及び前記Ｘ電極には、維持パルスが交互に印加されることを特徴とする請求項１０に記載のプラズマディスプレイパネルの駆動方法。
【請求項１２】
前記第２下降パルスの印加時から前記アドレス期間の終了時まで、
前記Ｘ電極には、上昇ステップ波形が印加されることを特徴とする請求項１１に記載のプラズマディスプレイパネルの駆動方法。
【請求項１３】
互いに離れて平行に延びるＸ電極及びＹ電極と、前記Ｘ電極及びＹ電極と交差して、その間に配置されるＲ電極と、を備え、その交差される領域で放電セルが形成されるが、前記Ｘ電極、Ｙ電極及びＲ電極は、前記放電セルを取り囲むプラズマディスプレイパネルに対して、
フレームごとに時分割階調ディスプレイのために、それぞれの階調加重値による複数のサブフィールドが存在し、前記それぞれのサブフィールドごとにリセット期間、アドレス期間及び維持放電期間に分けられて駆動するプラズマディスプレイパネルの駆動方法において、
前記リセット期間に、前記Ｒ電極には、第１下降ランプ式のパルス、上昇ランプ式のパルス及び第２下降ランプ式のパルスが順次に印加されることを特徴とするプラズマディスプレイパネルの駆動方法。
【発明の詳細な説明】
【技術分野】
【０００１】
本発明は、プラズマディスプレイパネル（Ｐｌａｓｍａ Ｄｉｓｐｌａｙ Ｐａｎｅｌ：ＰＤＰ）に係り、より詳細には、放電セルの側面を取り囲むように各電極を配置して、放電空間を効率的に活用することにより発光効率が向上し、リセットパルスが印加される電極にリセット期間の初期ステップで下降ランプ式のパルス波形の電圧を印加することにより、放電セルの側面に配置された各電極の付近に溜まる壁電荷に対する制御能力を向上させて、安定した放電を発生させる駆動波形の電圧により駆動されるＰＤＰに関する。
【背景技術】
【０００２】
ディスプレイ装置中には、最近、大型平板ディスプレイ装置として特に注目されているＰＤＰがある。ＰＤＰは、複数の電極が形成された二つの基板の間に放電ガスを注入し、放電電圧を印加して放電による真空紫外線を発生させ、その真空紫外線が所定のパターンで形成された蛍光体を励起させる過程で発生する可視光線を利用して、所望の画像を表示する装置である。
【０００３】
ＰＤＰの表示パネルは、前方パネル及び後方パネルを備える。従来のＰＤＰにおいて、前方パネルには、前面基板、維持放電を発生させる維持放電電極対、誘電体層及び保護膜などが備えられ、後方パネルには、後面基板、アドレス電極、誘電体層、隔壁及び蛍光体層などが備えられる。前面基板と背面基板は、互いに離れて平行に対向し、二つの基板の間の空間は隔壁により区画されることにより、放電を発生させる単位放電空間としての放電セルを形成する。
【０００４】
ＰＤＰの駆動方法としては、あらゆる放電セルを初期化するリセット期間、維持放電を発生させる放電セルを選択するアドレス期間、及び選択された放電セルに対して維持放電を行う維持放電期間に区分される波形の電圧をそれぞれの電極に印加することにより駆動する方法（Ａｄｄｒｅｓｓ Ｄｉｓｐｌａｙ Ｓｅｐａｒａｔｉｏｎ方式）がある。
【０００５】
従来のＰＤＰ構造においては、蛍光体励起過程で発生した可視光線が前方パネルを通過するに当って、前面基板の外に維持放電電極対、誘電体層及び保護膜などを通過せねばならないため、全体的に可視光線の前方パネル透過率が低いという問題点があった。また、前面、背面及び側面を備える放電セルにおいて、維持放電電極対が放電セルの前面に位置したため、維持放電電極対の相互間に発生する維持放電が、放電セルの放電空間のうち、前面側のみに偏り、放電空間を効率的に活用できなかったため、発光効率が低いという問題点もあった。そして、前面側での放電により発生した荷電粒子が、背面側に位置した蛍光体層を損傷させるイオンスパッタリング現象を起こすことにより、永久残像を発生させることもあった。
【発明の開示】
【発明が解決しようとする課題】
【０００６】
前記問題点及びその他の問題点を解決するために、本発明は、放電セルの側面を取り囲むように各電極を配置して、放電空間を効率的に活用することにより発光効率が向上し、リセットパルスが印加される電極に、リセット期間の初期ステップで下降ランプ式のパルス波形の電圧を印加することにより、放電セルの側面に配置された各電極の付近に溜まる壁電荷に対する制御能力を向上させて、安定した放電を発生させる駆動波形の電圧により駆動されるＰＤＰを提供するところにその目的がある。
【課題を解決するための手段】
【０００７】
前記目的を達成するために、本発明は、互いに離れて平行に対向する基板及び背面基板と、基板と背面基板との間の空間を、前面、背面及び側面を備える複数の放電セルに区画する隔壁と、前面及び背面に平行に側面を取り囲み、前面及び背面に平行した方向に延びるＸ電極及びＹ電極と、Ｘ電極とＹ電極との間に位置して、前面及び前記背面に平行に側面を取り囲み、前面及び背面に平行し、Ｘ電極及びＹ電極の延長方向と垂直に延びるＲ電極と、背面に形成される蛍光体層と、を備え、あらゆる放電セルを初期化するリセット期間、維持放電を発生させる放電セルを選択するアドレス期間、及び選択された放電セルに対して維持放電を行う維持放電期間に区分される波形の電圧によって駆動され、リセット期間で、Ｒ電極には、第１下降ランプ式のパルス、上昇ランプ式のパルス及び第２下降ランプ式のパルスを有する波形の電圧が印加され、Ｘ電極には上昇ステップ波形の電圧が印加され、Ｙ電極には接地電圧が印加されることで駆動されることを特徴とするＰＤＰを提供する。
【０００８】
本発明において、第１下降ランプ式のパルスは、接地電圧に維持されていて、接地電圧から接地電圧の電位より低電位のＲ電極リセット第１電圧にランプ式下降した後、Ｒ電極リセット第１電圧に維持されていて、Ｒ電極リセット第１電圧から接地電圧にステップ式上昇して、接地電圧に維持される波形のパルスであることを本発明の特徴とすることができる。
本発明において、上昇ランプ式のパルスは、接地電圧の電位より高電位のＲ電極リセット第２電圧に維持されていて、Ｒ電極リセット第２電圧からＲ電極リセット第２電圧の電位より高電位のＲ電極リセット第３電圧にランプ式上昇した後、Ｒ電極リセット第３電圧に維持される波形のパルスであることを本発明の特徴とすることができる。
本発明において、第２下降ランプ式のパルスは、接地電圧の電位より高電位のＲ電極リセット第２電圧から、Ｒ電極リセット第２電圧の電位より低電位のＲ電極リセット第４電圧にランプ式下降した後、Ｒ電極リセット第４電圧に維持される波形のパルスであることを本発明の特徴とすることができる。
本発明において、Ｒ電極リセット第４電圧の電位は、接地電圧の電位または接地電圧の電位より低電位であることを本発明の特徴とすることができる。
【０００９】
本発明において、上昇ステップ波形の電圧は、接地電圧に維持されていて、接地電圧から接地電圧の電位より高電位のＸ電極リセット電圧にステップ式上昇して、Ｘ電極リセット電圧に維持される波形の電圧であることを本発明の特徴とすることができる。
本発明において、アドレス期間で、Ｘ電極には、接地電圧の電位より高電位のＸ電極アドレス電圧を印加し、Ｙ電極には、接地電圧に維持されていて、接地電圧の電位より高電位のＹ電極アドレス電圧が既設定された期間の間に維持された後、再び接地電圧に維持されるパルス波形の電圧を印加し、Ｒ電極には、接地電圧の電位より高電位のＲ電極アドレス第１電圧に維持されていて、Ｒ電極アドレス第１電圧の電位より低電位のＲ電極アドレス第２電圧が既設定された期間の間に維持された後、再びＲ電極アドレス第１電圧に維持されるパルス波形の電圧を印加することを本発明の特徴とすることができる。
本発明において、維持放電期間で、Ｘ電極には、接地電圧及び維持放電電圧を既設定された期間の間隔ほど交互に印加し、Ｙ電極には、Ｘ電極に印加されることと逆に、維持放電電圧と接地電圧とを交互に印加し、Ｒ電極には、接地電圧の電位より高電位のＲ電極サステイン電圧を印加することを本発明の特徴とすることができる。
【発明の効果】
【００１０】
本発明によれば、放電空間を効率的に活用するために、放電セルの側面を取り囲むように各電極を配置することにより、ＰＤＰの発光効率を向上させ、リセット期間の初期ステップで、放電セルの側面に配置された各電極の付近に溜まる壁電荷に対する制御能力を向上させうる駆動電圧を印加することにより、ＰＤＰの放電の安定性を高めうる。
【発明を実施するための最良の形態】
【００１１】
以下、添付された図面を参照して、本発明の好ましい実施形態を詳細に説明する。本発明を説明するに当って、関連した公知の構成または機能についての具体的な説明が、本発明の要旨を不明にすると判断される場合には、その詳細な説明を省略する。
図１は、本発明の好ましい実施形態に係るＰＤＰの駆動装置の構成を示す構成ブロック図である。
本発明の好ましい実施形態に係るＰＤＰの駆動装置は、映像処理部１０２、論理制御部１０４、Ｘ駆動部１０６、Ｙ駆動部１０８、Ｒ駆動部１１０及び表示パネル１１２を備え得る。
【００１２】
映像処理部１０２は、外部からＰＣ（Ｐｅｒｓｏｎａｌ Ｃｏｍｐｕｔｅｒ）信号、ＤＶＤ（Ｄｉｇｉｔａｌ Ｖｅｒｓａｔｉｌｅ Ｄｉｓｃ）信号、ビデオ信号、ＴＶ信号などの外部映像信号を入力されてデジタル信号に変換し、変換されたデジタル信号を映像処理して内部映像信号を生成した後、生成された内部映像信号を論理制御部１０４に伝送する。ここで、内部映像信号には、赤色（Ｒ）映像データ、緑色（Ｇ）映像データ、青色（Ｂ）映像データ、クロック信号、垂直同期信号及び水平同期信号などが含まれる。
【００１３】
論理制御部１０４は、映像処理部１０２から伝送される内部映像信号に対し、ガンマ補正、ＡＰＣ（Ａｕｔｏｍａｔｉｃ Ｐｏｗｅｒ Ｃｏｎｔｒｏｌ）などの処理を行って、Ｘ駆動部制御信号ＳＸ、Ｙ駆動部制御信号ＳＹ及びＲ駆動部制御信号ＳＲを生成する。生成されたＸ駆動部制御信号ＳＸ、Ｙ駆動部制御信号ＳＹ及びＲ駆動部制御信号ＳＲは、それぞれＸ駆動部１０６、Ｙ駆動部１０８及びＲ駆動部１１０に伝送される。
Ｘ駆動部１０６は、論理制御部１０４からＸ駆動部制御信号ＳＸを伝送されて、ＰＤＰのＸ電極Ｘ１、Ｘ２、・・・、ＸｎにＸ電極駆動電圧を印加する役割を担当する。
Ｙ駆動部１０８は、論理制御部１０４からＹ駆動部制御信号ＳＹを伝送されて、ＰＤＰのＹ電極Ｙ１、Ｙ２、・・・、ＹｎにＹ電極駆動電圧を印加する役割を担当する。
Ｒ駆動部１１０は、論理制御部１０４からＲ駆動部制御信号ＳＲを伝送されて、ＰＤＰのＲ電極Ｒ１、Ｒ２、・・・、ＲｍにＲ電極駆動電圧を印加する役割を担当する。
【００１４】
表示パネル１１２は、ＰＤＰが有するあらゆる放電セルとその周辺構成要素との集合体であって、前記のＸ電極駆動電圧、Ｙ電極駆動電圧及びＲ電極駆動電圧の印加により選択された放電セルが可視光線を発することにより、ＰＤＰに入力される外部映像信号に相応する画像を表示する。表示パネル１１２の詳細な物理的な構造は、後述する図２を参照して説明する。
【００１５】
図２Ａは、本発明の好ましい実施形態に係るＰＤＰにおいて、表示パネルの物理的な構造を示す部分斜視図であり、図２Ｂは、前記表示パネルを図２ＡでのII−II方向に切断して詳細に示す断面図であり、図２Ｃは、従来のＰＤＰの電極構造を本発明と比較するために示す図面である。
図２Ａ及び図２Ｂのように、ＰＤＰの表示パネルは、前面基板２０１、背面基板２０２、隔壁２０３、Ｘ電極２０４、Ｙ電極２０５、Ｒ電極２０６、誘電体層２０７、保護膜２０８及び蛍光体層２０９を備え得る。
【００１６】
前方基板２０１と背面基板２０２との間の空間は、隔壁２０３により区画されて、放電を発生させる単位放電空間としての放電セル２１０を形成する。
隔壁２０３は、放電セル２１０を限定して画像の基本単位を形成させ、放電セル間のクロストークを防止する役割を担当する。隔壁２０３は、放電セルの側面を側面に垂直に切断した形状を、四角形、六角形、八角形などの多角形の構造に形成させうるが、図２Ａに示すように、切断した形状を円形に形成させうる放電効率面で有利な効果を発揮する。
Ｘ電極２０４は、図２Ａに示すように、放電セルの前面（前面基板方向）及び背面（背面基板方向）に平行に放電セルの側面を取り囲む構造を有する。
Ｙ電極２０５も、図２Ａに示すように、Ｘ電極２０４と同様に、放電セルの前面及び背面に平行に放電セルの側面を取り囲む構造を有する。
Ｒ電極２０６は、Ｘ電極２０４とＹ電極２０５との間に位置して、放電セルの前面及び背面に平行に放電セルの側面を取り囲む構造を有する。
【００１７】
誘電体層２０７は、Ｘ電極２０６、Ｙ電極２０５及びＲ電極２０６の絶縁被膜として使用される誘電体層であって、絶縁抵抗の高い材料を使用する。放電により発生した電荷の一部は、各電極２０４、２０５、２０６に印加される電圧の極性による電気的引力に引かれ、前記の誘電体層２０７の付近（保護膜２０８を間に置いて）で溜まれて壁電荷を形成し、壁電荷による壁電圧が各電極２０４、２０５、２０６に印加される駆動電圧と合わせられて、放電空間に電場を提供する。
【００１８】
図２Ａ及び図２Ｂでは、誘電体層２０７と隔壁２０３とが相異なる層を形成すると図示されているが、本発明に係るＰＤＰの好ましい実施形態によっては、隔壁自体が誘電体から形成されるか、または誘電体層を含む構造に形成させうる。
保護膜２０８は、イオンスパッタリングによる誘電体層２０７の損傷を防止し、放電時に２次電子の放出を増加させて、放電を容易にする。保護膜２０８は、酸化マグネシウム（ＭｇＯ）などの材料を使用して形成する。
【００１９】
蛍光体層２０９では、放電により発生する真空紫外線（Ｖａｃｕｕｍ Ｕｌｔｒａ Ｖｉｏｌｅｔ：ＶＵＶ）が吸収されることにより、励起される電子が再び安定状態となる時、可視光線を発散するフォトルミネセンス発光メカニズムが発生する。蛍光体層２０９は、ＰＤＰがカラー画像を具現させうるために、赤色発光蛍光体層、緑色発光蛍光体層及び青色発光蛍光体層を備え、赤色発光蛍光体層、緑色発光蛍光体層及び青色発光蛍光体層が放電セルの内部に配置されて、単位画素を形成できる。赤色発光蛍光体としては、（Ｙ,Ｇｄ）ＢＯ３：Ｅｕ３＋などがあり、緑色発光蛍光体としては、Ｚｎ２Ｓｉ０４：Ｍｎ２＋などがあり、青色発光蛍光体としては、ＢａＭｇＡｌ１０Ｏ１７：Ｅｕ２＋などがある。
【００２０】
放電セル２１０の内部には、大気圧より低い圧力の放電ガス（約０.５ａｔｍ以下）が充填されており、それぞれの放電セルに関与したそれぞれの電極２０４、２０５、２０６に印加される駆動電圧によって形成される電場により、放電ガス粒子と電荷とが衝突しつつプラズマ放電が発生し、プラズマ放電の結果により真空紫外線が発生する。放電ガスとしては、キセノン（Ｘｅ）ガスを、ネオン（Ｎｅ）ガス、ヘリウム（Ｈｅ）ガスまたはアルゴン（Ａｒ）ガスのうち、何れか一つまたは二つ以上のガスに混合して使用する混合ガスが利用される。
【００２１】
図２Ｃは、従来のＰＤＰの電極構造の配置を示す図面である。
図２Ｃに示すように、前面基板３０１、背面基板３０２、隔壁３０３、維持電極３０４、走査電極３０５、アドレス電極３０６、保護膜３０８、蛍光体層３０９、前方遺伝体層３１１、後方遺伝体層３１２を備える従来のＰＤＰの表示パネルには、走査電極３０５及び維持電極３０４が前面基板３０１上に配置されており、アドレス電極３０６は、背面基板３０２上に配置される構造を有する。
【００２２】
図２Ｃのような構造では、維持放電の過程で発生する可視光線が前面基板３０１を透過するに当って、前面基板３０１の外に、維持放電電極対（走査電極３０５と維持電極３０４）、前方誘電体層３１１及び保護膜３０８などを透過せねばならないため、それほど透過率が低下し、維持放電が発生する空間も、走査電極３０５及び維持電極３０４が配置された放電セルの前面側のみに偏って、放電空間を効率的に活用できないため、発光効率が低く、放電セルの前面側での放電により発生した荷電粒子が、背面側に位置した蛍光体層３０９を損傷させるという問題点もある。
【００２３】
本発明では、前記問題点を解決するために、図２Ａ及び図２Ｂのような構造の電極配置を有するＰＤＰを提供する。図２Ａ及び図２Ｂのような構造においては、維持放電過程で発生する可視光線が前面基板のみを直ちに透過するため、透過率が良く、相対的に高い輝度表示に有利であり、放電セルの側面を放電セルの前面及び背面に平行に維持放電電極対（Ｘ電極及びＹ電極）が取り囲むように配置されているため、放電セル内での放電空間を効率的に活用して、発光効率が高い。また、各電極に印加される電圧により形成される電場が、放電セルの前面及び背面に平行した方向であるため、放電により発生する荷電粒子が放電セルの背面に位置した蛍光層を損傷させる現象も減少する。
【００２４】
図３は、放電セルの側面を取り囲むＸ電極、Ｙ電極及びＲ電極の延長方向を説明するための図面である。
図３では、放電セルが円筒形として表現されているが、これは、放電空間の全体を効率的に使用するために採択される構造であり、場合に応じては、四角形の断面を有する直六面体型などの構造が採択されても良い。
図３に示すように、放電セルは、前面基板方向の前面、背面基板方向の背面及び前面及び背面と垂直な側面を備える。前面基板と背面基板との間の空間を、隔壁が何なる形状に区画するかによって、側面の形態が決定され、円筒形の放電セルの構造では、側面が曲面をなす。
【００２５】
Ｘ電極Ｘｎは、放電セルの前面及び背面に平行に放電セルの側面を取り囲み、放電セルの前面及び背面に平行した一方向（図３では、Ｙ軸方向）に延びる構造を有する。
Ｙ電極Ｙｎも、Ｘ電極と同様に、放電セルの前面及び背面に平行に放電セルの側面を取り囲み、Ｘ電極の延長方向と同じ方向（図３では、Ｙ軸方向）に延びる構造を有する。
Ｒ電極Ｒｍは、Ｘ電極とＹ電極との間に位置して、放電セルの前面及び背面に平行に放電セルの側面を取り囲み、放電セルの前面及び背面に平行し、Ｘ電極及びＹ電極の延長方向と垂直方向（図３では、Ｘ軸方向）に延びる構造を有する。
【００２６】
図４は、アドレスディスプレイ分離（Ａｄｄｒｅｓｓ Ｄｉｓｐｌａｙ Ｓｅｐａｒａｔｉｏｎ：ＡＤＳ）方式によるＰＤＰの駆動方式を示す図面である。
図４に示すように、画像を表示する一つの単位フレームは、時分割階調表示を実現するために、所定数、例えば、８個のサブフィールドＳＦ１，・・・，ＳＦ８に分割されうる。各サブフィールドＳＦ１，・・・，ＳＦ８は、さらにリセット期間Ｒ１，・・・，Ｒ８、アドレス期間Ａ１，・・・，Ａ８及び維持放電期間Ｓ１，・・・，Ｓ８に区分されうる。ここで、各リセット期間Ｒ１，・・・，Ｒ８は、あらゆる放電セルを均等に初期化する役割を行い、各アドレス期間Ａ１，・・・，Ａ８は、各維持放電期間Ｓ１，・・・，Ｓ８から表示放電を発生させるべき放電セルを選択させる役割を行い、維持放電期間Ｓ１，・・・，Ｓ８は、アドレス期間で選択された放電セルに対する維持放電を発生させる役割を行う。
【００２７】
ＰＤＰにおいて単位フレームでの輝度は、あらゆる維持放電期間Ｓ１，・・・，Ｓ８での総維持放電回数に比例する。例を挙げて説明すれば、単位フレームを８個のサブフィールドＳＦ１，・・・，ＳＦ８に分割し、単位フレームでの輝度を２５６ステップ（０階調から２５５階調まで、総２５６階調）に区分する場合に、８個のサブフィールドＳＦ１，・・・，ＳＦ８のそれぞれの維持放電期間Ｓ１，・・・，Ｓ８には、順に１、２、４、８、１６、３２、６４、１２８の割合で相異なる維持放電回数が割当てられる。したがって、もし１３３階調の輝度を表示する場合には、１３３は、１（ＳＦ１に対応）と、４（ＳＦ３に対応）と、１２８（ＳＦ８に対応）との和で表現できるため、第１サブフィールドＳＦ１のアドレス期間Ａ１、第３サブフィールドＳＦ３のアドレス期間Ａ３及び第８サブフィールドＳＦ８のアドレス期間Ａ８では放電セルを選択し、その他のサブフィールドＳＦ２、ＳＦ４、ＳＦ５、ＳＦ６、ＳＦ７のアドレス期間Ａ２、Ａ４、Ａ５、Ａ６、Ａ７では放電セルを選択しないことにより、１３３階調の輝度を表現できる。
【００２８】
図４において、横軸は、時間軸に対応し、縦軸は、アドレス期間で放電セルを選択するためにスキャンパルスの電圧を印加する走査電極ラインに対応する。本発明に係るＰＤＰの駆動においては、Ｒ電極にスキャンパルスが印加されるため（図６の説明部分で詳述する）、図４での縦軸は、Ｒ電極ラインに対応すると言える。
【００２９】
図５は、図２Ｃのような電極配置を有する従来のＰＤＰにおいて、単位フレームをなす何れか一つのサブフィールドで、各電極に印加される波形の電圧を示す図面である。
図５に示すように、各電極に印加される電圧は、次の通りである。
図５に示すように、一つのサブフィールドＳＦは、リセット期間Ｐｒ、アドレス期間Ｐａ及び維持放電期間Ｐｓを備える。
リセット期間Ｐｒで、維持電極Ｘｎには、接地電圧Ｖｇに維持されていて、維持電極リセット電圧Ｖｘにステップ式上昇するステップ波形の電圧を印加し、走査電極Ｙｎには、接地電圧Ｖｇに維持され（リセット第１期間 Ｐｒ１）、走査電極第１電圧Ｖｙｒ１から走査電極第２電圧Ｖｙｒ２にランプ式上昇した後（リセット第２期間 Ｐｒ２）、再び走査電極第１電圧Ｖｙｒ１から走査電極第３電圧Ｖｙｒ３にランプ式下降する（リセット第３期間 Ｐｒ３）波形の電圧を印加し、アドレス電極Ａｍには接地電圧Ｖｇを印加することにより、あらゆる放電セルを初期化状態にする。
【００３０】
アドレス期間Ｐａで、維持電極Ｘｎには、維持電極リセット電圧Ｖｘと同じ電位の維持電極アドレス電圧Ｖｘを印加し、走査電極Ｙｎには、走査電極アドレス第１電圧Ｖｙａ１に維持されていて、走査電極アドレス第２電圧Ｖｙａ２が既設定された期間の間に維持された後、再び走査電極アドレス第１電圧Ｖｙａ１に維持される下降パルス波形の電圧（以下、走査パルスという）を印加し、アドレス電極Ａｍには接地電圧Ｖｇに維持されていて、アドレス電極アドレス電圧Ｖａａが既設定された期間の間に維持された後、再び接地電圧Ｖｇに維持される上昇パルス波形の電圧（以下では、アドレスパルスという）を印加することにより、維持放電期間Ｐｓに維持放電を発生させる放電セルを選択する。
【００３１】
維持放電期間Ｐｓで、維持電極Ｘｎには、接地電圧Ｖｇ及び維持放電電圧Ｖｓを既設定された期間の間隔ほど交互に有する維持パルスを印加し、走査電極Ｙｎには、維持電極Ｘｎに印加されるものと交互に維持パルスを印加し、アドレス電極Ａｍには接地電圧Ｖｇを印加することにより、アドレス期間Ｐａで選択された放電セルが維持放電を発生させる。
【００３２】
前記のような駆動波形の電圧が各電極に印加されることにより、リセット期間ではリセット放電（相異なる平面に位置する電極間に発生する対向放電または同一平面に位置する電極間に発生する面放電）が発生し、アドレス期間では、アドレス放電（対向放電）が発生し、維持放電期間では、維持放電（面放電）が発生する。
【００３３】
ＰＤＰにおいて単位フレームでの輝度は、総維持放電期間での総維持放電回数に比例するが、維持放電は、強放電形態であるため、強放電過程で発生する可視光線が、前方パネルを透過してＰＤＰの視聴者の見解を刺激する。これに比べて、リセット期間でのリセット放電とアドレス期間でのアドレス放電は、弱放電形態であるため、単位フレームでの輝度には直接的な影響を及ぼさず、単に、リセット放電により放電セルの初期化が行われ、アドレス放電により維持放電が発生する放電セルが選択される。したがって、単位フレームでの輝度に影響を及ぼす表示放電は維持放電だけであり、リセット放電及びアドレス放電は、表示放電に該当しない。
【００３４】
リセット期間でのリセット放電が正常な弱放電形態で行われずに、強放電形態で発生する場合には、アドレス期間で選択されない放電セルに対しても、維持放電期間に維持放電が発生して、単位フレームでの輝度表現に悪影響を及ぼす。したがって、このような誤放電によるＰＤＰの表示品質の低下を防止するためには、安定した放電が保証される駆動方法により駆動されるＰＤＰが要求されている。
特に、本発明に係るＰＤＰでのように、維持放電電極対（Ｘ電極とＹ電極）とＲ電極の何れも放電セルの側面に配置する場合には、あらゆる電極が同一平面（または、同一曲面）上に位置するため、各電極の付近に溜まる壁電荷を更に精巧に制御することが要求される。
【００３５】
図６は、本発明の好ましい実施形態に係るＰＤＰにおいて、単位フレームをなす何れか一つのサブフィールドで各電極に印加される波形の電圧を示す図面である。
リセット放電によるリセット機能を行うリセットパルスが、図５では走査電極Ｙｎに印加されるが、一方、図６ではＲ電極Ｒｍに印加される点が異なり、特に、図５でのリセット第１期間Ｐｒ１では、走査電極Ｙｎに接地電圧Ｖｇが印加されるが、一方、図６でのリセット第１期間Ｐｒ１では、接地電圧Ｖｇに維持されていて、接地電圧からＲ電極リセット第１電圧Ｖｒｒ１にランプ式下降する波形の電圧が印加される点が異なる。
【００３６】
図６に示すように、一つのサブフィールドＳＦは、リセット期間Ｐｒ、アドレス期間Ｐａ及び維持放電期間Ｐｓを備える。
リセット期間Ｐｒで各電極Ｘｎ、Ｙｎ、Ｒｍに印加される電圧は、次の通りである。
Ｘ電極Ｘｎには接地電圧Ｖｇに維持されていて、接地電圧の電位より高電位のＸ電極リセット電圧Ｖｘに維持されるステップ波形の電圧を印加する。Ｙ電極Ｙｎには、接地電圧Ｖｇを印加する。
リセット第１期間Ｐｒ１でＲ電極Ｒｍには、接地電圧Ｖｇに維持されていて、接地電圧から接地電圧の電位より低電位のＲ電極リセット第１電圧Ｖｒｒ１にランプ式下降した後、Ｒ電極リセット第１電圧Ｖｒｒ１に維持されていて、Ｒ電極リセット第１電圧Ｖｒｒ１から接地電圧Ｖｇにステップ式上昇して、接地電圧に維持される波形の電圧を印加する。
【００３７】
リセット第２期間Ｐｒ２でＲ電極Ｒｍには、接地電圧Ｖｇの電位より高電位のＲ電極リセット第２電圧Ｖｒｒ２に維持されていて、Ｒ電極リセット第２電圧Ｖｒｒ２からＲ電極リセット第２電圧の電位より高電位のＲ電極リセット第３電圧Ｖｒｒ３にランプ式上昇した後、Ｒ電極リセット第３電圧Ｖｒｒ３に維持される波形の電圧を印加する。
リセット第３期間Ｐｒ３でＲ電極Ｒｍには、接地電圧Ｖｇの電位より高電位のＲ電極リセット第２電圧Ｖｒｒ２から、Ｒ電極リセット第２電圧の電位より低電位のＲ電極リセット第４電圧Ｖｒｒ４にランプ式下降した後、Ｒ電極リセット第４電圧Ｖｒｒ４に維持される波形の電圧を印加する。
【００３８】
図６では、Ｒ電極リセット第４電圧Ｖｒｒ４の電位が、接地電圧Ｖｇの電位として図示されているが、本発明に係るＰＤＰの駆動では、Ｒ電極リセット第４電圧Ｖｒｒ４の電位を、接地電圧Ｖｇの電位より低電位に設定することも可能である。
アドレス期間Ｐａで各電極Ｘｎ、Ｙｎ、Ｒｍに印加される電圧は、次の通りである。
Ｘ電極Ｘｎには、Ｘ電極リセット電圧Ｖｘと同じ電位のＸ電極アドレス電圧Ｖｘを印加する。Ｙ電極Ｙｎには、接地電圧Ｖｇに維持されていて、接地電圧の電位より高電位のＹ電極アドレス電圧Ｖｙａが、既設定された期間の間に維持された後、再び接地電圧に維持されるパルス波形の電圧（走査パルス）を印加する。
【００３９】
Ｒ電極Ｒｍには、接地電圧の電位より高電位のＲ電極アドレス第１電圧Ｖｒａ１に維持されていて、Ｒ電極アドレス第１電圧Ｖｒａ１の電位より低電位のＲ電極アドレス第２電圧Ｖｒａ２（図６では接地電圧Ｖｇと同じ電位）が既設定された期間の間に維持された後、再びＲ電極アドレス第１電圧Ｖｒａ１に維持されるパルス波形の電圧アドレスパルスを印加する。
【００４０】
維持放電期間Ｐｓで、各電極Ｘｎ、Ｙｎ、Ｒｍに印加される電圧は、次の通りである。
Ｘ電極Ｘｎには、接地電圧Ｖｇ及び維持放電電圧Ｖｓを既設定された期間の間隔ほど交互に有する維持パルスを印加する。Ｙ電極Ｙｎには、Ｘ電極Ｘｎと交互に維持パルスを印加する。Ｒ電極Ｒｍには、接地電圧の電位より高電位のＲ電極サステイン電圧Ｖｒｓを印加する。
【００４１】
従来のＰＤＰの走査電極（図５でのＹｎ）には、リセット第１期間（図５でのＰｒ１）で接地電圧Ｖｇを印加したが、本発明に係るＰＤＰの走査電極（図６でのＲｍ）には、リセット第１期間（図６でのＰｒ１）で下降ランプ式のパルス波形の電圧を印加するという点に特徴がある。リセット第１期間Ｐｒ１で接地電圧の代りに、下降ランプ式のパルス波形の電圧を印加することにより得られる肯定的効果は、以下で図７Ａないし図７Ｆの図面を参照して説明する。
【００４２】
図７Ａないし図７Ｆは、図６でのそれぞれのステップで各電極付近に溜まる壁電荷の分布を示す図面である。
図７Ａは、最後の維持放電後（Ｐｓ終了時）の各電極付近に溜まる壁電荷の分布を示す。
最後の維持放電時に、Ｘ電極には維持放電電圧Ｖｓが印加され、Ｙ電極には接地電圧Ｖｇが印加され、Ｒ電極にはＲ電極サステイン電圧Ｖｒｓが印加される場合を考慮すれば、最後の維持放電により発生した電荷は、各電極に印加される電圧による電場に引かれて、逆極性の電圧が印加される電極の付近に溜まれて壁電荷を形成する。すなわち、図７Ａに示すように、Ｘ電極の付近には多量の負極性（−）の壁電荷が、Ｒ電極の付近には少量の負極性の壁電荷が、Ｙ電極の付近には多量の正極性（＋）の壁電荷が溜まる。
【００４３】
図７Ｂは、リセット第１期間の終了時（Ｐｒ１の終了時）の各電極の付近に溜まる壁電荷の分布を示す。
リセット第１期間時に、Ｘ電極には接地電圧Ｖｇが印加され、Ｙ電極にも接地電圧Ｖｇが印加され、Ｒ電極には、接地電圧からＲ電極リセット第１電圧Ｖｒｒ１にランプ式下降する下降ランプ式のパルス波形の電圧が印加される。前記のように、各電極に印加される電圧が、最後の維持放電後（Ｐｓの終了時）に、各電極の付近に積まれた壁電荷による壁電圧と合わせられて、放電空間に電場を提供する。その結果、Ｒ電極とＹ電極との間に弱いリセット放電（弱放電）が発生する。しかし、Ｘ電極には多量の負極性の壁電荷が溜まれていたため、Ｒ電極とＸ電極との間には放電が発生しない。放電により発生した電荷が、各電極に印加される電圧による電場に引かれて、逆極性の電圧が印加される電極の付近に溜まれ、図７Ｂのような形態の壁電荷を形成する。すなわち、図７Ｂに示すように、Ｘ電極の付近には多量の負極性の壁電荷が、Ｒ電極の付近には少量の正極性の壁電荷が、Ｙ電極の付近には少量の正極性の壁電荷が溜まる。
【００４４】
図７Ｃは、リセット第２期間の終了時（Ｐｒ２の終了時）の各電極の付近に溜まる壁電荷の分布を示す。
リセット第２期間の時に、Ｘ電極には接地電圧Ｖｇが印加され、Ｙ電極にも接地電圧Ｖｇが印加され、Ｒ電極には、Ｒ電極リセット第２電圧Ｖｒｒ２からＲ電極リセット第３電圧Ｖｒｒ３にランプ式上昇する上昇ランプ式のパルス波形の電圧が印加される。前記のように、各電極に印加される電圧が、リセット第１期間の終了時（Ｐｒ１の終了時）に、各電極の付近に積まれた壁電荷による壁電圧と合わせられて、放電空間に電場を提供する。その結果、Ｒ電極とＸ電極との間に弱いリセット放電（弱放電）が発生する。放電により発生した電荷が、各電極に印加される電圧による電場に引かれて、逆極性の電圧が印加される電極の付近に積まれ、図７Ｃのような形態の壁電荷を形成する。すなわち、図７Ｃに示すように、Ｘ電極の付近には負極性の壁電荷が、Ｒ電極の付近には多量の負極性の壁電荷が、Ｙ電極の付近には正極性の壁電荷が溜まる。
【００４５】
図７Ｄは、リセット第３期間の終了時（Ｐｒ３の終了時）の各電極の付近に溜まる壁電荷の分布を示す。
リセット第３期間の時に、Ｘ電極にはＸ電極リセット電圧Ｖｘが印加され、Ｙ電極には接地電圧Ｖｇが印加され、Ｒ電極には、Ｒ電極リセット第２電圧Ｖｒｒ２からＲ電極リセット第４電圧Ｖｒｒ４にランプ式下降する下降ランプ式のパルス波形の電圧が印加される。前記のように、各電極に印加される電圧が、リセット第２期間の終了時（Ｐｒ２の終了時）に、各電極の付近に積まれた壁電荷による壁電圧と合わせられて、放電空間に電場を提供する。その結果、再び弱いリセット放電が発生し、放電により発生した電荷が各電極の付近に積まれ、図７Ｄのような形態の壁電荷を形成する。すなわち、図７Ｄに示すように、Ｘ電極の付近には負極性の壁電荷が、Ｒ電極の付近には負極性の壁電荷が、Ｙ電極の付近には正極性の壁電荷が溜まる。
【００４６】
前記の本発明に係るリセット期間の特徴を検討する。
従来のように、リセット第１期間Ｐｒ１で走査電極（図５でのＹｎ、図６でのＲｍ）に接地電圧を印加する場合には、リセット第１期間Ｐｒ１では、別途にリセット弱放電が発生しない。すなわち、図７Ａのような壁電荷状態で直ちにリセット第２期間Ｐｒ２に移動するため、Ｒ電極とＹ電極とのリセット弱放電過程なしに、Ｒ電極とＸ電極とのリセット弱放電に進む。これに比べて、本発明では、リセット第１期間Ｐｒ１で下降ランプ式のパルス波形の電圧を印加することにより、リセット第１期間Ｐｒ１でもＲ電極とＹ電極との間のリセット弱放電が発生する。
【００４７】
結果的に、従来には、最後の維持放電後（Ｐｓ期間）に直ぐＲ電極とＸ電極とのリセット弱放電（Ｐｒ２期間）に進んだが、本発明では、最後の維持放電後（Ｐｓ期間）にＲ電極とＹ電極とのリセット弱放電（Ｐｒ１期間）過程を経て、Ｒ電極とＸ電極とのリセット弱放電（Ｐｒ２期間）に進む。従来に比べて、リセット第１期間Ｐｒ１でもＲ電極とＹ電極とのリセット弱放電過程を含むことにより、リセット期間ＰｒでＹ電極の付近の壁電荷をさらに精密に制御することが可能となる。さらに、リセット弱放電が放電セルの前面側の空間（Ｘ電極とＲ電極との間）の他に、背面側の空間（Ｙ電極とＲ電極との間）でも発生するため、放電セル内の放電空間にプライミングパチクルが増加して低い放電開始電圧を有させて、以後のアドレス期間Ｐａや維持放電期間Ｐｓで放電が容易となる。
【００４８】
このように、リセット第１期間Ｐｒ１でＲ電極とＹ電極とのリセット弱放電過程を追加的に含んで、Ｙ電極の付近の壁電荷制御能力を向上させることに本発明の特徴がある。リセット期間Ｐｒで安定した放電を可能にして、全体の放電安全性を向上させ、放電空間内のプライミングパチクルを増加させて、低い放電開始電圧を有させる肯定的な効果を期待できる。
前記のようなリセット第１期間Ｐｒ１、リセット第２期間Ｐｒ２及びリセット第３期間Ｐｒ３を経つつ、あらゆる放電セルは、均等な壁電荷分布を有する初期化状態となり、次のステップであるアドレス期間Ｐａで放電セルを選択させうる準備を含む。
【００４９】
図７Ｅは、アドレス期間の終了時（Ｐａの終了時）の各電極の付近に溜まる壁電荷の分布を示す。
アドレス期間時に、Ｘ電極ＸｎにはＸ電極アドレス電圧Ｖｘが印加され、Ｙ電極Ｙｎには、接地電圧Ｖｇに維持されていて、Ｙ電極アドレス電圧Ｖｙａが既設定された期間の間に維持された後、再び接地電圧に維持されるパルス波形の電圧が印加され、Ｒ電極Ｒｍには、Ｒ電極アドレス第１電圧Ｖｒａ１に維持されていて、Ｒ電極アドレス第２電圧Ｖｒａ２が既設定された期間の間に維持された後、再びＲ電極アドレス第１電圧Ｖｒａ１に維持されるパルス波形の電圧を印加する。前記のように各電極に印加される電圧が、リセット第３期間の終了時（Ｐｒ３の終了時）に、各電極の付近に積まれた壁電荷による壁電圧と合わせられて、放電空間に電場を提供する。その結果、Ｒ電極とＹ電極との間に弱いアドレス放電（弱放電）が発生する。放電により発生した電荷が、各電極に印加される電圧による電場に引かれて、逆極性の電圧が印加される電極の付近に積まれ、図７Ｅのような形態の壁電荷を形成する。すなわち、図７Ｅに示すように、Ｘ電極の付近には多量の負極性の壁電荷が、Ｒ電極の付近には正極性の壁電荷が、Ｙ電極の付近には多量の正極性の壁電荷が溜まる。
【００５０】
図７Ｆは、維持放電期間Ｐｓで最初の維持放電の終了時に、各電極の付近に溜まる壁電荷の分布を示す。
維持放電期間Ｐｓの最初の維持放電時に、Ｘ電極Ｘｎには接地電圧Ｖｇを印加し、Ｙ電極ＹｎにはＸ電極Ｘｎと逆に、維持放電電圧Ｖｓを印加し（駆動方法によっては、Ｘ電極Ｘｎに維持放電電圧Ｖｓを印加し、Ｙ電極ＹｎにはＸ電極Ｘｎと逆に、接地電圧Ｖｇを印加するようにしても良い）、Ｒ電極ＲｍにはＲ電極サステイン電圧Ｖｒｓを印加する。前記のように各電極に印加される電圧が、アドレス期間の終了時（Ｐａの終了時）に、各電極の付近に積まれた壁電荷による壁電圧と合わせられて、放電空間に電場を提供する。その結果、Ｒ電極とＹ電極との間に弱いアドレス放電（弱放電）が発生する。放電により発生した電荷が、各電極に印加される電圧による電場に引かれて、逆極性の電圧が印加される電極の付近に積まれ、図７Ｆのような形態の壁電荷を形成する。すなわち、図７Ｆに示すように、Ｘ電極の付近には多量の正極性の壁電荷が、Ｒ電極の付近には少量の負極性の壁電荷が、Ｙ電極の付近には少量の正極性の壁電荷が溜まる。
【００５１】
以上、図面に示す具体的な実施形態を参考に本発明を説明したが、これは、例示的なものに過ぎないため、当業者ならば、これから多様な修正及び変形が可能であろう。したがって、本発明の保護範囲は、特許請求の範囲によって解釈され、それと同等及び均等な範囲内にあるあらゆる技術的思想は、本発明の保護範囲に含まれることと解釈されねばならない。
【産業上の利用可能性】
【００５２】
本発明は、プラズマディスプレイパネルに関連した技術分野に好適に適用され得る。
【図面の簡単な説明】
【００５３】
【図１】本発明の好ましい実施形態に係るＰＤＰの駆動装置の構成を示す構成ブロック図である。
【図２Ａ】ＰＤＰにおいて表示パネルの物理的な構造を示す部分斜視図である。
【図２Ｂ】前記表示パネルを図２ＡでのII−II方向に切断して詳細に示す断面図である。
【図２Ｃ】従来のＰＤＰの電極構造を本発明と比較するために示す図面である。
【図３】放電セルの側面を取り囲むＸ電極、Ｙ電極及びＲ電極の延長方向を説明するための図面である。
【図４】アドレスディスプレイの分離方式によるＰＤＰの駆動方式を示す図面である。
【図５】図２Ｃのような電極配置を有する従来のＰＤＰにおいて、単位フレームをなす何れか一つのサブフィールドで各電極に印加される波形の電圧を示す図面である。
【図６】本発明の好ましい実施形態に係るＰＤＰにおいて、単位フレームをなす何れか一つのサブフィールドで各電極に印加される波形の電圧を示す図面である。
【図７Ａ】図６でのそれぞれのステップで、各電極の付近に溜まる壁電荷の分布を示す図面である。
【図７Ｂ】図６でのそれぞれのステップで、各電極の付近に溜まる壁電荷の分布を示す図面である。
【図７Ｃ】図６でのそれぞれのステップで、各電極の付近に溜まる壁電荷の分布を示す図面である。
【図７Ｄ】図６でのそれぞれのステップで、各電極の付近に溜まる壁電荷の分布を示す図面である。
【図７Ｅ】図６でのそれぞれのステップで、各電極の付近に溜まる壁電荷の分布を示す図面である。
【図７Ｆ】図６でのそれぞれのステップで、各電極の付近に溜まる壁電荷の分布を示す図面である。
【符号の説明】
【００５４】
ＳＦ    サブフィールド
Ｘｎ       Ｘ電極
Ｙｎ       Ｙ電極
Ｒｍ       Ｒ電極
Ｖｇ      接地電圧
Ｐａ      アドレス期間
Ｐｒ      リセット期間
Ｐｓ      維持放電期間
Ｐｒ１    リセット第１期間
Ｐｒ２    リセット第２期間
Ｐｒ３    リセット第３期間
Ｖｒｒ１  Ｒ電極リセット第１電圧
Ｖｒｒ２  Ｒ電極リセット第２電圧
Ｖｒｒ３  Ｒ電極リセット第３電圧
Ｖｒｒ４  Ｒ電極リセット第４電圧
Ｖｘ      Ｘ電極リセット電圧
Ｖｙａ    Ｙ電極アドレス電圧
Ｖｒｓ    Ｒ電極サステイン電圧
Ｖｒａ１  Ｒ電極アドレス第１電圧
Ｖｒａ２  Ｒ電極アドレス第２電圧
【図１】
2006317907.tif 000003
【図２Ｂ】
2006317907.tif 000004
【図２Ｃ】
2006317907.tif 000005
【図３】
2006317907.tif 000006
【図４】
2006317907.tif 000007
【図５】
2006317907.tif 000008
【図６】
2006317907.tif 000009
【図７Ａ】
2006317907.tif 000010
【図７Ｂ】
2006317907.tif 000011
【図７Ｃ】
2006317907.tif 000012
【図７Ｄ】
2006317907.tif 000013
【図７Ｅ】
2006317907.tif 000014
【図７Ｆ】
2006317907.tif 000015
【図２Ａ】
2006317907.tif 000016